(57)【要約】      （修正有）【課題】鍵管理箱のどの位置に鍵が保管されているかの情報は管理するが、その鍵１つ１つのＩＤまでは、電子的に管理しない鍵管理システムを提供する。【解決手段】内部に鍵を収納する保管部とその保管部に鍵検出スイッチを設けた鍵保管箱１と、鍵保管箱１に接続され、鍵保管箱１内部に設けられた複数の鍵検出スイッチの情報に基づいて鍵の有無を判定する制御装置３と、制御装置３に接続され、無線タグカードに記録されたＩＤを読み取る無線タグカードリーダ５とを備える。鍵保管箱１に設けた鍵検出スイッチは、個別に収納位置情報を持つことなく、同一の鍵検出スイッチを複数配置する。この鍵検出スイッチのＯＮ／ＯＦＦにより、鍵の有無だけを判定する機能のみ持たせる。一方、保管している位置に鍵があるかもスイッチのＯＮ／ＯＦＦだけにより識別する。【選択図】図１
2011012517.tif 000002
【特許請求の範囲】
【請求項１】
内部にそれぞれ鍵を収納するための複数の保管部と各保管部にそれぞれ同一構造のスイッチを設けた鍵保管箱と、
前記鍵保管箱に接続され、鍵保管箱の各保管部に設けられた複数のスイッチの情報に基づいて鍵の有無を判定する制御装置を備え、
前記各保管部に設けたスイッチは、個別に収納位置情報を持つことなくＯＮ／ＯＦＦ接点のみを有するものであり、
前記制御装置は、各保管部からのスイッチのＯＮ／ＯＦＦ情報により各保管部における鍵の有無を判別することを特徴とすることを特徴とする鍵管理システム。
【請求項２】
各保管部とその保管部に保管する鍵とは、各保管部と各鍵または鍵のキータグの形状が一致した場合に、前記各保管部に設けたスイッチが鍵の有無を検出するものであることを特徴とする請求項１に記載の鍵管理システム。
【請求項３】
前記保管部は、鍵の有無を検出するスイッチと、各保管部と各鍵またはキータグの形状が一致することを検出するスイッチとを備えていることを特徴とする請求項２に記載の鍵管理システム。
【請求項４】
各保管部を構成する複数のスイッチが、基板上に複数の固定接点と可動接点を配置して構成されていることを特徴とする請求項１〜３のいずれか１項に記載の鍵管理システム。
【請求項５】
前記鍵保管箱は、前記制御装置に接続された電気錠を備え、
使用者が制御装置に記録したＩＤが登録されている無線タグカードを使用して、前記電気錠を開閉することを特徴とする請求項１〜４のいずれか１項に記載の鍵管理システム。
【発明の詳細な説明】
【技術分野】
【０００１】
本発明は、扉の付いた箱内に鍵を収納して管理する鍵管理システムに関する。
【背景技術】
【０００２】
鍵の管理を行う場合、保管専用の箱に鍵をまとめて管理する。鍵を使用する人は、その箱から必要数を取り出す。この時、別の人が同じ鍵を使用したい場合、鍵が持ち出し中の場合は、誰がその鍵を所有しているかがわからず、非常に不便である。これを解決するために、管理内部の鍵を保管する場所にアドレスを決め、鍵１つ１つにもＩＤを持たせ、箱のアドレスと、鍵のＩＤとを１対１に対応させることで、鍵の所有有無を管理できるようにした技術が従来から知られている。さらに、鍵管理箱に扉を設け、この扉を開ける権限を、鍵の使用者一人一人に異なるＩＤを持たせ、そのＩＤによってのみ扉を開錠できるようにした技術もある。これにより、いつ、誰が、どの場所の鍵を持ち出しているのかを管理することができる。このような鍵管理システムとして、以下のようなシステムが知られている（特許文献１参照）。
【０００３】
特許文献１の発明では、鍵のキータグに無線タグを装着し、鍵ごとに異なるＩＤを持たせる。そして箱内の保管位置ごとに、そのＩＤを読み取るための小形アンテナを設け、キータグがその位置に保管されたら、自動的にキータグに装備された無線タグＩＤを読み取るようにする。一方、鍵がその場所から持ち出された場合には、無線タグがＩＤを認識できなくなることで、それを認識できる。
【０００４】
一方、鍵保管箱を開ける人は、例えばその人だけが所有する無線タグ又は磁気カードなどをリーダへ読みこませることにより、個人を認証させ、開錠権限確認と持出自覚を自動管理する。この時、無線タグ又は磁気カード以外に、指紋認証、静脈認証、顔認証などの自動識別方式を採用する技術もある。
【先行技術文献】
【特許文献】
【０００５】
【特許文献１】特開２００５−２０８５８号公報
【発明の概要】
【発明が解決しようとする課題】
【０００６】
しかしながら、特許文献１の発明では、鍵の個体を識別するＩＤ、それと箱内の保管位置を対応させる仕組み、そして、持ち出し者を管理するＩＤは、非常に複雑な実現手段が必要となり、実現コストが高くなる課題があった。特に、管理する鍵の本数が増えると、鍵固有のＩＤとその保管場所を対応管理する仕組みの実現手段として、複雑な構造をもった無線タグ、その他のハードウェアを用いた場合、その分、数が必要となり、非常にコストに影響されるという問題点があった。
【０００７】
本発明は、上述した課題を解決するためになされたものであり、その目的は、鍵管理箱のどの位置に鍵が保管されているかの情報は管理するが、その鍵１つ１つのＩＤまでは、管理しない方式により鍵を管理し、どの鍵が持ち出されているか、については、その保管位置を鍵固有に管理することにより、鍵固体を区別できる鍵管理システムを提供することである。
【０００８】
すなわち、本発明では、鍵管理箱の鍵を保管する位置に、簡単なスイッチにより、そのＯＮ／ＯＦＦにより、鍵の有無だけを判定する機能のみ持たせる。一方、鍵一つ一つの個体ＩＤは特に区別せず、保管している位置に鍵があるかを、このスイッチのＯＮ／ＯＦＦだけにより識別することで、鍵の個体をも識別管理することができる。鍵を使用する人に関しては、個人ごとに異なるＩＤを安価な無線タグカードで識別し、これを無線タグリーダーに読み込ませることで、鍵管理箱の開錠許可を与えるようにする。
【課題を解決するための手段】
【０００９】
前記の目的を達成するために、本発明の鍵管理システムは、内部にそれぞれ鍵を収納するための複数の保管部と各保管部にそれぞれスイッチを設けた鍵保管箱と、前記鍵保管箱に接続され、鍵保管箱の各保管部に設けられた複数のスイッチの情報に基づいて鍵の有無を判定する制御装置を備え、前記各保管部に設けたスイッチは、個別に収納位置情報を持つことなくＯＮ／ＯＦＦ接点のみを有するものであり、かつ、各保管部において同一構造のスイッチから構成し、前記制御装置は、各保管部からのスイッチのＯＮ／ＯＦＦ情報により各保管部における鍵の有無を判別することを特徴とする。
【発明の効果】
【００１０】
本発明によれば、許可された人だけが、鍵保管箱を開けることができ、セキュリティが確保される。しかも、いつ、誰が鍵を持ち出したかを記録管理できる。どの鍵を持ち出したかは、鍵管理箱内部には、保管位置には固有のアドレスが割り振られ、その場所に鍵があるか、ないかを自動識別できるので、どの鍵が持ち出されているかは、この保管位置アドレスによって自動管理できる。しかも、鍵ごとのＩＤを管理しないため、鍵の管理本数が多くなった場合でも、鍵自体に特別な仕組みを持たせる必要がない。このため、鍵の本数が増えた場合でも、鍵保管箱内部の保管部の増設や鍵保管箱自体の増設を容易かつ安価で行うことができる。
【００１１】
一方、鍵管理箱内部には、保管位置に固有アドレスが割り当てられ、その場所に鍵があるかないか管理することができるので、どの鍵が持ち出されているかは、この保管位置アドレスによって管理できる。しかも、誰が持ち出したかについては、使用者ごとに所有する無線ＩＤタグカードによって、鍵保管箱を開錠するので、使用者個人を特定することができる。以上の仕組みにより、極めて低コストにより、大量の鍵を、何時、誰が、どれを持ち出したかだけでなく、その鍵が返却されたかについても管理することができる。しかも、その履歴を記録することができる。
【図面の簡単な説明】
【００１２】
【図１】本発明の実施例１による鍵管理システムの全体の構成を示す図。
【図２】本発明の実施例１おける鍵保管箱の斜視図。
【図３】本発明の実施例１おける鍵保管箱の構成を示す配線図。
【図４】本発明の実施例１おける保管部の構成を示す図。
【図５】本発明の実施例２おける保管部の構成を示す断面図。
【図６】本発明の実施例２おけるキータグに設けられた穴とマイクロスイッチに設けられた突起部の位置の関係を示した図。
【図７】本発明の実施例２おける鍵保管箱の内部に設けられた保管部にキータグを収納した状態を示す図。
【図８】本発明の第１実施例における保管部の構成の変形例を示す図。
【図９】本発明の第２実施例における保管部の構成の変形例を示す図。
【発明を実施するための形態】
【００１３】
以下、本発明に係る鍵管理システムの実施例を、図面を参照して説明する。各実施例で同一または類似の構成部分には、共通の符号を付し、重複する説明は省略する。
【実施例１】
【００１４】
［１−１．構成］
図１は、本発明の実施例１の全体構成を示す図である。１は、内部に複数の鍵を保管できる鍵保管箱である。この鍵保管箱１には、内部の鍵の保管部６に設けられたスイッチのＯＮ／ＯＦＦ情報を外部に伝達するためにケーブル３０が接続されている。このケーブル３０としては、ＲＳ２３２Ｃなどの標準シリアル信号インターフェイスケーブルなどを利用することができる。鍵保管箱１には、鍵保管箱１を複数台設置する場合に、鍵保管箱１同士のデータを伝達するための増設用ケーブル３１が接続される。こられの鍵保管箱１には、電力を供給するためにコンセント２が接続されている。
【００１５】
３は、ケーブル３０を介して鍵保管箱１と接続され、鍵の保管部に設けられたスイッチのＯＮ／ＯＦＦ情報を管理する制御部である。この保管部に設けられたスイッチのＯＮ／ＯＦＦ情報を管理するために、制御部１としては、一般的なパソコンを利用することができ、その電源として、ＡＣアダプタ４が接続されている。５は、制御部３に接続された無線タグカードリーダである。この無線タグカードリーダ５は、使用者の持つ無線タグカードに記録されたデータを読み込むものである。無線タグカードリーダ５としては、ＦｅｌｉＣａ（登録商標）などの非接触型ＩＣカードなどを利用することができる。
【００１６】
図２は、本発明の第１実施例における鍵保管箱１の斜視図である。図３は、本発明の第１実施例における鍵保管箱１の構成を示す図である。図中６は、鍵保管箱１の本体側に設けられた鍵保管部である。保管部６は、鍵保管箱内１に収納する複数の鍵の数に合わせて、鍵保管箱１内に複数個設けられている。実施例１では、この保管部６に、鍵またはキーリングを介して鍵と結ばれたキータグ（キーホルダを含む）を引っかけることで、各鍵を所定の保管部６に保管することができる。各保管部６の内部には、保管部６に鍵またはキータグを収納することにより、スイッチをＯＮ／ＯＦＦすることができる鍵検出スイッチ７が設けられている。
【００１７】
８は、鍵保管箱１の本体側に設けられたドアスイッチである。ドアスイッチ８は、鍵保管箱１の蓋が開閉することによって、ドアスイッチ８に設けられた突起部分が押され、ＯＮ／ＯＦＦを区別する。９は、鍵保管箱１の蓋側に設けられた電気錠である。
【００１８】
１０は、鍵保管箱１の本体側に設けられる制御基盤である。この制御基盤１０は、鍵保管箱１内の各鍵検出スイッチ７及びドアスイッチ８と接続し、各スイッチから入力するＯＮ／ＯＦＦ信号をシリアルデータへ変換し、ケーブル３０を介して、その変換データを制御装置に出力する。また、電気錠９と接続され、制御装置からの指令に基づいて電気錠９の開閉を行う。
【００１９】
図４は、本発明の第１実施例における保管部６の構成を示す図である。図４（ａ）は、保管部６に鍵がついたキータグを引っかけて収納した状態を示す図である。保管部６は横長の板１１から構成されており、板１１には鍵または鍵が付いたキータグ１２を吊り下げる凹型の溝が設けられている。このキータグ１２は、その凹部分を鍵保管箱１の保管部６の凹型の溝に引っ掛けることができるような略Ｕ型形状である。
【００２０】
図４（ｂ）は、鍵検出スイッチ７として箱型のマイクロスイッチを利用した保管部６の構成を示す図である。すなわち、１３は、鍵保管箱１内部の制御基盤１０と接続された基盤であり、この基盤１３上に箱型のマイクロスイッチ１４が設置される。このマイクロスイッチ１４は、箱型をしたケースの内部にスイッチの可動及び固定の接点を収納し、可動接点の一部をケース外に突出させたものである。ケース内の可動及び固定の接点に対しては、ケース外部からのリード線をはんだ付けするなどして、ＯＮ／ＯＦＦ信号を外部へ伝達する。なお、１５は保管部６を構成する板１１にマイクロスイッチ１４を支持するためのステーである。このステー１５は、キータグを板１１に引っ掛けた場合に、マイクロスイッチがＯＮ状態となるように、マイクロスイッチ１４の設置位置を調整するものである。
【００２１】
［１−２．作用］
このような構成を有する実施例１では、鍵保管箱１から鍵を取り出す場合には、使用者は、自己が所有する無線タグカードを、無線タグカードリーダ５へ読み込ませる。無線タグカードリーダ５で読み込んだ無線タグカードのＩＤは制御装置へ伝達される。制御装置では、読み込んだＩＤに、鍵の持出権限があるか否かのチェックを行い、持出権限がある場合は、鍵保管箱１に対して蓋の開錠指令を出力すると同時に、開錠指令を出力した時間を記録する。開錠指令を入力した鍵保管箱１は、制御基盤１０より電気錠９に対して開錠指令を出力し、電気錠９の鍵を外し、鍵保管箱１の蓋を開く。一方、読み込んだＩＤに、持出権限がない場合には、鍵保管箱１に対して蓋の開錠指令を出力しないので、鍵保管箱１の蓋が開くことはない。
【００２２】
鍵保管箱１の蓋が開いたら、使用者は希望する鍵を保管部６から持ち出す。これにより、保管部６からキータグ１２が外れると、マイクロスイッチ１４がＯＦＦ状態となる。このマイクロスイッチ１４のＯＦＦ信号は制御基盤１０に伝送され、制御基盤１０でシリアルデータに変更されると共に、制御装置へ出力される。この信号に基づき、出力装置３は、保管部６のどの場所の鍵が持ち出されたのかを記録する。
【００２３】
一方、鍵保管箱１に鍵を収納する場合には、鍵保管箱１から鍵を取り出す場合と同様の手順で鍵保管箱１を開く。その後、使用者は鍵が付いたキータグ１２を保管部６へ収納（吊り下げる）する。保管部６に鍵が付いたキータグ１２が収納されると、マイクロスイッチ１４がＯＮ状態となる。このマイクロスイッチ１２のＯＮ信号は制御基盤１０に伝送され、制御基盤１０でシリアルデータに変更されると共に、制御装置へ出力される。この信号に基づき、出力装置では、保管部６のどの場所の鍵が収納されたかを記録する。
【００２４】
［１−３．効果］
以上の通り本実施例においては、無線タグカードを利用して持出権限のチェックを行うだけでなく、鍵保管箱１に対して蓋の開錠指令を出力した場合に、開錠指令を出力した時間を記録する。これにより、持出権限のない使用者は鍵保管箱を開けることができないので、セキュリティが保たれる。さらに、持出権限をもつ使用者が複数人する場合でも、どの使用者が何時に扉を開けたのかが明確になるため、利便性の向上を図ることができる。
【００２５】
また、鍵保管箱１を開錠したあと、箱内部から鍵を取り出すと、どの場所に保管されている鍵が持ち出されたかを、管理及び記録することができる。これにより、いつ、誰が、どの鍵を持ち出したのかを管理、記録することができる。
【００２６】
また、無線タグカードとしては、専用のものを用意する必要がなく、ＩＤカードのＩＤデータ部分を使用することができる。そのため、現在普及している電子定期券であるＳｕｉｋａ（登録商標）やＩｋｏｋａ（登録商標）などを使用してよい。これにより、本システムのために、新たにタグカードを作成する必要がない。
【００２７】
また、鍵保管箱の収納スペースでは、鍵一つ一つの識別は行わず、鍵の有無のみを識別しているので、鍵に１つ１つの鍵を認識するためのＩＤタグを埋め込む必要がない。そのため、鍵の管理数量が増加しても、新たに追加した鍵にＩＤタグを埋め込む必要がないため、システム導入に伴う鍵自体のコスト増加をゼロにできる。一方、鍵保管箱１自体も、鍵の有無を検知するための仕組みは、極めて単純なスイッチが１つ具備されていれば、十分であるため、簡易である。さらに、保管管理する鍵の数量が増加した場合は、新たに鍵保管箱１を増設し、鍵保管箱１の内部の制御基板同士を通信ケーブルで接続することにより、鍵管理箱の数量を増加することができる。
【実施例２】
【００２８】
本実施例は、前記実施例１の鍵保管箱１に新たなスイッチを追加すると共に、キータグや鍵の一部の形状を変更することにより、鍵が正しい場所に収納されたかを判定するものである。
【００２９】
［２−１．構成］
図５は、本発明の実施例２おける保管部６の構成を示す断面図である。本実施例では、鍵検出スイッチ７として箱型の２つのマイクロスイッチ１４，１６を利用する構成である。このマイクロスイッチ１４，１６は、キータグ１２と接触する部分に突起部１７を有する。マイクロスイッチ１４，１６は、キータグ１２が保管部６に収納されていない場合など突起部１７が押し込まれない状態ではＯＦＦ状態、突起部１７がキータグ１２の厚さ以上押し込まれた場合に、ＯＮ状態となるように配置される。
【００３０】
本実施例に使用するキータグ１２のマイクロスイッチ１４，１６側の部分には、キータグ１２ごとに異なった位置に穴１８が開いている。この穴１８の大きさは、マイクロスイッチ１４，１６に設けられた突起部１７より大きい穴とする。すなわち、キータグ１２を保管部６の適正な場所に収納した場合に、この穴１８にマイクロスイッチ１４，１６に設けた突起部１７が挿入できる大きさとする。この穴の形状は、マイクロスイッチ１６に設けた突起が挿入できるならば、どのような形でもかまわない。
【００３１】
図６は、本実施例で使用するキータグ１２に設けられた穴１８とマイクロスイッチ１４，１６に設けられた突起部１７の位置の関係を示した図である。この図６のキータグ１２には、キータグ１２のマイクロスイッチ１４，１６側部分に、保管部６の鍵の収納スペースに対応した番号が記載されている。図６（ａ）は、保管部６のＮＯ．１のスペースに収納する鍵に付けられたキータグ１２を示した図である。このキータグ１２には、保管部６の鍵の収納スペースであるＮＯ．１に対応した場所に穴１８が開いている。一方、図６（ｂ）は、保管部６のＮＯ．２のスペースに収納する鍵に付けられたキータグ１２を示した図である。このキータグ１２には、保管部６の鍵の収納スペースであるＮＯ．２に対応した場所に穴１８が開いている。
【００３２】
一方、図６のマイクロスイッチ１６には、可動接点のキータグ１２と接触する部分に、マイクロスイッチ１６が設置された保管部６の番号が記載されている。図６（ｃ）は、保管部６のＮＯ．１に設置されたマイクロスイッチ１６を示した図である。このマイクロスイッチ１６には、設置された保管部６の番号であるＮＯ．１に対応した場所に突起部１７が設けられている。一方、図６（ｄ）は、保管部６のＮＯ．２に設置されたマイクロスイッチ１６を示した図である。このマイクロスイッチ１６には、設置された保管部６の番号であるＮＯ．２に対応した場所に突起部１７が設けられている。
【００３３】
［２−２．作用］
このような構成を有する実施例２では、鍵検出スイッチ７に設けられた２つのマイクロスイッチ１４，１６により、キータグ１２に連結された鍵が保管部６の正しい位置に収納されているかを判定する。以下、図７により、実施例２の作用を説明する。
【００３４】
図７は、実施例２の鍵保管箱１の内部に設けられた保管部６にキータグ１２を収納した状態を示す図である。図７（ａ）は、キータグ１２を保管部６の適正な場所に収納した状態を示している。この場合は、キータグ１２がマイクロスイッチ１４を、キータグ１２の厚さの分だけ押し込むので、マイクロスイッチ１４はＯＮ状態となる。一方、キータグ１２が適正な位置に収納されているので、マイクロスイッチ１６の接点部分に設けられた突起部１７が、キータグ１２に設けられた穴に挿入する。これにより、マイクロスイッチ１６は、ＯＦＦ状態なる。これにより、マイクロスイッチ１４がＯＮ状態となると共に、マイクロスイッチ１６がＯＦＦ状態となる。
【００３５】
一方、図７（ｂ）では、キータグ１２を保管部６の誤った場所に収納した状態を示している。この場合は、キータグ１２がマイクロスイッチ１４を、キータグ１２の厚さの分だけ押し込むので、マイクロスイッチ１４はＯＮ状態となる。一方、キータグ１２が誤った位置に収納されているので、マイクロスイッチ１６の接点部分に設けられた突起部１７は、キータグ１２に設けられた穴１８に挿入することはない。これにより、マイクロスイッチ１６は、ＯＦＦ状態なる。その結果、マイクロスイッチ１４がＯＮ状態となると共に、マイクロスイッチ１６もＯＮ状態となる。
【００３６】
また、キータグ１２が保管部６に収納されていない場合には、マイクロスイッチ１４，１６の接点部は、押し込まれることはない。従って、マイクロスイッチ１４がＯＦＦ状態となると共に、マイクロスイッチ１６がＯＦＦ状態となる。
【００３７】
これらの場合の２つのマイクロスイッチ１４，１６のＯＮ／ＯＦＦ状態は、鍵保管箱１の制御基盤１０を介して、制御装置３に伝送される。制御装置３では、２つのマイクロスイッチ１４，１６のＯＮ／ＯＦＦ状態に基づいて、「キータグ１２が保管部６の適正な場所に収納された状態」、「キータグ１２が保管部６の誤った場所に収納された状態」、「キータグ１２が保管部６に収納されていない状態」の３つのいずれかの状態であることを、鍵検出スイッチ７ごとに判定する。
【００３８】
なお、この実施例２では、キータグ１２を保管部６に収納する場合には、キータグ１２を適正な場所に収納する場合にでも、マイクロスイッチ１６の接点部が、一時的に押し込まれることになる。すなわち、キータグ１２が適正な位置に収納したにもかかわらず、一時的にマイクロスイッチ１６がＯＮ状態となり、誤った判定をする原因となる。従って、制御装置内のタイマを要することで、一定時間（１〜２秒）同じ状態が続いた場合に、マイクロスイッチ１４，１６がＯＮ／ＯＦＦ状態かを判定しても良い。
【００３９】
［２−３．効果］
以上の通り、本実施例においては、前記実施例１の効果に加えて、キータグ１２に設けた鍵を収納する場所に対応する穴１８により、鍵が正しい場所に収納されているかを判定することができる。この判定には、鍵自体に個体を区別するＩＤをつける必要が無く、且つ全ての鍵に同じキータグを取り付けても、穴１８の位置を変えるという単純な構造で、鍵を区別することができる。また、鍵保管箱１に追加するマイクロスイッチ１４，１６は、単純な構造の機械的スイッチなので、簡単、安価に実現することができる。
【実施例３】
【００４０】
［他の実施例］
前記保管部や各スイッチは前記各実施例で例示した構造に限定するものではなく、その形状は本発明の機能を実現できれば、例えば、下記のようにいかようにも変形できる。
【００４１】
（ａ）各実施例では、鍵検出スイッチ７として一般的なマイクロスイッチを例としているが、光センサ、磁気センサ、圧電センサなどのスイッチを利用することもできる。特に、簡単な構造の接点と板バネによるスイッチを利用すると低コストで本発明を利用することができる。
【００４２】
（ｂ）図８は、本発明の第１実施例における保管部６の構成の変形例を示す図である。この変形例では、では、図４や図５のマイクロスイッチ１３，１４，１６の代わりに大きな基板上に鍵の数だけ接点を配置する。すなわち、図中２１は、基盤１２に設けられたプリント配線である。プリント配線の一方には、プリント配線にはんだ付けした可動接点２２が設けられ、プリント配線のもう一方には、固定接点２３が設けられている。
【００４３】
図８のような構成では、箱型のマイクロスイッチ１３，１４，１６に比較して、ケースなどが不要なためスイッチ自体を構成する部品数が少なくなると共に、保管部を構成する板１１などに箱形のマイクロスイッチを固定する場合のステー１５が必要なくなる。また、スイッチ部分が基板１２上に直接設けられるため、基盤１２と各スイッチを接続するための配線も不要で、スイッチの位置に合わせて各スイッチを接続する配線をプリントしておくことができる。従って、各スイッチと制御基盤１０との配線は、１箇所で済ませることができる。
【００４４】
（ｃ）実施例２において、図５では、マイクロスイッチ１４，１６を縦に並べて配置したが、キータグ１２を保管部６に収納した場合に、マイクロスイッチ１４，１６のスイッチをＯＮ／ＯＦＦできると共に、マイクロスイッチ１６の突起部１７がキータグ１２に設けた穴に挿入できる位置であれば、どこに配置しても良い。
【００４５】
（ｄ）実施例２では、各キータグ１２の穴１８を保管部６の突起部１７に対応した場所に設けたが、他の手段により鍵を区別しても良い。図９は、本発明の第２実施例における保管部６の構成の変形例を示す図である。この変形例では、実施例２のようなキータグ１２の穴１８の代わりに、キータグ１２に深さの異なる複数の溝１９を設けている。この溝１９は、キータグ１２ごとに異なった位置に設けられる。
【００４６】
一方、この変形例では、保管部６側に、鍵検出スイッチ７として、１つの箱型のマイクロスイッチ２４を設ける。このマイクロスイッチ２４は、ケースの内部に接点を収納し、可動接点２５の一部をケース外に突出さる。また、保管部６におけるマイクロスイッチ２４の近傍には、長さの異なる複数の突起２０を設ける。この突起２０は、マイクロスイッチ２０ごと（保管部６ごと）に異なった形状とする。
【００４７】
この突起２０は、キータグ１２側の溝１９と対応していて、キータグ１２を保管部の適正な場所に収納した場合には、溝１９と突起２０の形状が一致し、マイクロスイッチ２４の可動接点を押すことできる。一方、キータグ１２を保管部の誤った場所に収納した場合には、溝１９と突起２０の形状が一致しないため、マイクロスイッチの接点を押すことできない。溝１９と突起２０の形状は、キータグ１２を適正な場所に収納した場合に一致し、マイクロスイッチ２４の接点を押せるような形状であるなら、どのような形でもかまわない。また、溝１９及び突起２０の本数は、１本でも複数本でもかまわない。
【００４８】
以上のような構成では、キータグ１２に設けられた溝１９とマイクロスイッチ側の突起２０の形状の組み合わせにより、鍵が正しい場所に収納されているかを判定することができる。これにより、１つのマイクロスイッチにより鍵を区別することができる。
【００４９】
（ｅ）実施例２や他の実施例では、キータグ（キーホルダを含む）に穴や溝を設けたが、鍵そのものに穴や溝を設けることもできる。これにより、鍵にキータグをつける必要がなくなる。
【符号の説明】
【００５０】
１…鍵保管箱
２…コンセント
３…制御装置
４…ＡＣアダプタ
５…無線タグカードリーダ
６…保管部
７…鍵検出スイッチ
８…ドアスイッチ
９…電気錠
１０…制御基盤
１１…板
１２…キータグ
１３…基盤
１４，１６…マイクロスイッチ
１５…ステー
１７…突起部
１８…穴
１９…溝
２０…突起
２１…プリント配線
２２，２５…可動接点
２３…固定接点
２４…マイクロスイッチ
３０…ケーブル
３１…増設用ケーブル
【図２】
2011012517.tif 000003
【図３】
2011012517.tif 000004
【図４】
2011012517.tif 000005
【図５】
2011012517.tif 000006
【図６】
2011012517.tif 000007
【図７】
2011012517.tif 000008
【図８】
2011012517.tif 000009
【図９】
2011012517.tif 000010
【図１】
2011012517.tif 000011